(57)【要約】【課題】  携帯品や衣服等の身近な物品において芳香発生容器を用いることなくアロマオイル等の芳香が容易に楽しめるようにする。【解決手段】  芳香を発する芳香液剤４と、芳香液剤４を内部に貯留し、かつ、その芳香を放出可能な微細孔を備える袋体３と、内面に粘着剤５が付設され、その内面において袋体３の表面に微細孔を塞ぐように取り外し可能に貼り付けられるカバーシート２とからなる芳香発生体。【選択図】図２
0003139341.tif 000002
【実用新案登録請求の範囲】
【請求項１】
芳香を発する芳香液剤と、
前記芳香液剤を内部に貯留し、かつ、その芳香を放出可能な微細孔を備える袋体と、
内面に粘着剤が付設され、その内面において前記袋体の表面に前記微細孔を塞ぐように取り外し可能に貼り付けられるカバーシートと、
からなることを特徴とする芳香発生体。
【考案の詳細な説明】
【技術分野】
【０００１】  この考案は、アロマオイル等の芳香液剤を使用する芳香発生体に関する。
【背景技術】
【０００２】  最近ではリラクゼーション効果等があるとして種々の環境においてアロマオイル等が広く使用されるようになっている。その使用は、通常、アロマオイルが芳香発生容器に入れられ、そのアロマオイルから自然に、また、加熱されることで芳香が発するようになっている。
【考案の開示】
【考案が解決しようとする課題】
【０００３】  この考案では、携帯品や衣服等の身近な物品において芳香発生容器を用いることなくアロマオイル等の芳香が容易に楽しめるようにする芳香発生体を提供することを目的とする。
【課題の解決手段】
【０００４】  この考案では、芳香を発する芳香液剤と、前記芳香液剤を内部に貯留し、かつ、その芳香を放出可能な微細孔を備える袋体と、内面に粘着剤が付設され、その内面において前記袋体の表面に前記微細孔を塞ぐように取り外し可能に貼り付けられるカバーシートと、からなることを特徴とする芳香発生体を提供する。
【０００５】  上記構成の芳香発生体は、カバーシートがその粘着剤部分で袋体表面に貼り付けられている状態においては、袋体のピンホールと呼ばれる微細孔が塞がれることで袋体内より芳香が外部に放出されない。袋体はカバーシートが取り外された状態においてその微細孔が開放されるのでそこから芳香を発する。このようして、芳香発生体は芳香の放出されない状態においての持ち運び、携帯が可能であるとともに、カバーシートを取り外すことで芳香の発する使用状態とできる。
【０００６】  袋体材料としてはピンホールを持つ各種プラスチックスフィルムの使用が可能であるが、用いる芳香液剤による化学的劣化の恐れのないものを使用する。また、粘着剤材料、カバーシート材料としても同様に芳香液剤による化学的劣化の恐れのないものを使用する。
【考案の効果】
【０００７】  この考案の芳香発生体を用いることで、携帯品や衣服等の身近な物品においてもアロマオイル等の芳香が楽しめるようになる。
【考案を実施するための最良の形態】
【０００８】  図１はこの考案の芳香発生体の外観斜視図、図２は同断面図である。芳香発生体１はその平面形状が、例えば縦、横１５〜２０ｍｍ程度の大きさで、外装のカバーシー２と、そのカバーシート２内に納められる袋体３と、その袋体３内に貯留される芳香液剤４とからなる。【０００９】  上記カバーシート２はポリエチレンフィルム等のプラスチックフィルムよりなり、その内面には所定幅の両端縁部分６それぞれを除いて全体に粘着剤５が付設されており、また、その表面には印刷層７が設けられて不透明とされるとともに、商品名８等が印刷されている。袋体３は、例えば、ＥＶＡ（エチレン・酢酸ビニル共重合樹脂）フィルムからなり、その全面に多数の微細孔（ピンホール）を備えるものから形成されている。芳香液剤４としては、各種のアロマオイル等が用いられる。【００１０】  芳香発生体１は、芳香液剤４が貯留された袋体３が折り畳み形態とされたカバーシート２間に挟まれ、かつ、その粘着剤５が袋体３面に密着する状態となって一体に構成されている。上記粘着剤５が付設されていない所定幅の両端縁部分６それぞれは相対して位置し、袋体３を取り出す際の剥がし代となる。【００１１】  芳香発生体１は、上記の状態においてはカバーシート２内面の粘着剤５により袋体３表面が覆われるのでそこにある微細孔もすべて塞がれ、これにより芳香液剤４からの袋体３外部への芳香の放出はない。【００１２】  カバーシート２内からの袋体３の取り出しは、図３に示すように、両端部分６それぞれを持ち両側に開き袋体３面からカバーシート２を剥がすことにより行う。袋体３はカバーシート２内から取り出された状態において粘着剤５により塞がれていた微細孔が開放されるのでそこから芳香を発する。したがって、この袋体３をバッグ、さらには携帯電話ストラップやキーホルダー部分に一体とすることでそれらからの芳香が楽しめ、また、衣服のポケット等に収納することでもその芳香が楽しめる。【００１３】  図４、図５により上記芳香発生体１の製造例の説明を行う。まず、図４に示すように、上方が開放する状態に半折されて搬送されるフィルム基材１０をＡ位置で順次縦方向に溶着して仕切り部１２を設け、次に仕切られた部分に注入器１４で芳香液剤４を注入し、次にＢ位置でその上縁を連続して溶着し、芳香液剤４が注入された袋体３の連続体１６を得る。次にこの連続体１６を下方が開放する状態に半折され内面に粘着剤５が付設されたシート基材１８間に挟まれるように配置し、基材シート１８を両側から連続体１６の両面に貼り付け、その後所定位置で裁断することにより芳香発生体１を得る。【００１４】  図６は芳香発生体１に用いられる袋体３の変形例を示す。このものでは袋体３の一方面に貼り付け用シート２０を接着剤により固着している。貼り付け用シート２０は粘着面を有するシート本体２１とその粘着面に貼られた離形シート２２とからなる。この袋体３は離形シート２２を剥がすことで携帯電話表面等に貼り付けて取り付けできるようになっている。【００１５】  上記芳香発生体１の他の製造方法を図７を参照して説明する。この製造方法においては、フィルム基材１０の外面にシート基材１８が粘着剤５により予め一体に貼り付けられたシート��０を用いるもので、図４と同様の方法により芳香液剤４を順次注入するとともにＢ位置でフィルム基材１０とシート基材１８とを一体に溶着して製造を行うようにしている。このようにすることで、図５に示す工程を省略して芳香発生体１が得られる。
【図面の簡単な説明】
【図１】  この考案の芳香発生体の実施例の外観斜視図
【図２】  この考案の芳香発生体の実施例の断面図
【図３】  この考案の芳香発生体の実施例の使用説明斜視図
【図４】  この考案の芳香発生体の実施例の製造説明図
【図５】  この考案の芳香発生体の実施例の製造説明図
【図６】  この考案の芳香発生体の実施例の袋体の変形例の外観斜視図
【図７】  この考案の芳香発生体の実施例の異なる製造方法の説明図
【符号の説明】
１  芳香発生体
２  カバーシート
３  袋体
４  芳香液剤
５  粘着剤
【図１】
0003139341.tif 000003
【図２】
0003139341.tif 000004
【図３】
0003139341.tif 000005
【図４】
0003139341.tif 000006
【図５】
0003139341.tif 000007
【図６】
0003139341.tif 000008
【図７】
0003139341.tif 000009